(57)【特許請求の範囲】
【請求項１】
制御装置と光伝送装置の親機とが通信可能に接続され、当該親機と光伝送装置の子機とが光通信可能に接続される光伝送装置システムにおいて、
前記制御装置からの要求により、前記親機及び前記子機の側から前記制御装置へ前記子機の接続状態を通知する接続状態通知手段と、
前記制御装置からの要求により、前記親機に対して直接又は複数直列で間接的に接続されている全ての子機におけるアラームマスクを解除し、前記親機に対して末端に接続されている子機におけるアラームマスクを設定するアラームマスク設定手段と、
前記制御装置からの要求により、前記親機及び当該親機に対して直接又は複数直列で間接的に接続されている全ての子機に対して所定の装置情報を設定する装置情報設定手段と、
を備えたことを特徴とする光伝送装置システム。
【発明の詳細な説明】
【技術分野】
【０００１】
本発明は、光伝送装置の親機及び子機により構成される光伝送装置システムに関し、特に、光伝送装置システムを構築する際に親機及び子機に対して必要な設定作業を簡易化する技術に関する。
【背景技術】
【０００２】
携帯電話等の移動局間の無線通信を、無線基地局を介して行う無線システムが実現されている。しかしながら、無線基地局からの電波が届かないビル内部や地下通路等の不感地帯では、各移動局は無線通信を行うことができない。
そこで、無線通信用のアンテナを備えた光伝送装置子機（以下、子機と略記する）を不感地帯の各所に設置し、各子機と光ケーブルにより接続された光伝送装置親機（以下、親機と略記する）を無線基地局に接続して光伝送装置システムを構築することで、各移動局が不感地帯内にある場合であっても無線通信を行えるようにしている。
【０００３】
ここで、光伝送装置システムに関する発明として、親局装置（親機）側で子局装置（子機）の規格上の種別を識別できるようにする発明（特許文献１参照）、少ない電話回線であっても各親局装置から監視制御端末へ状態報告を行えるようにする発明（特許文献２参照）、などが提案されている。
【０００４】
【特許文献１】特開２００７−１８０９４１号公報
【特許文献２】特開２００７−１５８７９４号公報
【発明の開示】
【発明が解決しようとする課題】
【０００５】
光伝送装置システムの構築に際して親機及び子機の各装置に対して行われる従来方式の設定作業を説明する。なお、説明の便宜上、本発明の実施例に係る図１を参照して説明するが、本発明を不要に限定する意図はない。
【０００６】
図１は、光伝送装置システムを有する無線システムの概略的な構成を示してある。
携帯電話に代表される各移動局１は、無線基地局５を介して無線通信を行うことができ、無線基地局５は、無線網の制御を行う無線網制御装置６や通信経路の選択を行う交換機７などを介して網８に接続されている。また、光伝送装置の親機３が無線基地局５と通信可能に設置されると共に、無線アンテナを有する光伝送装置の子機２が無線基地局５の不感地帯となる各所に複数設置され、各子機３は光ケーブルにより直接的又は他の子機３を介して間接的に親機３に接続されている。そして、これら親機３及び子機２により構成される光伝送装置システムによって、各移動局１が無線基地局５の不感地帯内にある場合であっても無線通信を行えるようにしてある。また、親機３は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）ルータ等の接続装置４を介して網８に接続されており、網８に接続された遠隔監視装置９による遠隔制御を可能にしてある。
【０００７】
従来、光伝送装置システムの構築にあたり、工事作業者は、システム構成図面に従って光伝送装置の親機３及び子機２の各装置を設置した後に、その接続状態を確認する為に遠隔監視装置９にて各装置の接続状態の読出しを行って画面上に表示させ、当該表示内容とシステム構成図面とを比較することによりチェックを行なっていた。
そして、工事作業者は、システム構成図面通りにシステム構成されていることを確認できると、光伝送装置の親機３及び全子機２に対し、メンテナンス用のツール等を接続し、個別に各種装置情報（局名称、ＩＰアドレス、設置場所等）の設定を行なっていた。
しかしながら、このような従来方式による情報設定作業は、工事作業者のオペレーションミス（アラームマスク設定／解除漏れ、局情報の設定漏れ等）の可能性があり、また、設定作業に時間が掛かってしまうという問題点があった。
【０００８】
本発明は、上記従来の事情に鑑みなされたものであり、光伝送装置の親機及び子機に対する情報設定を自律的に行うようにして、親機及び子機の設置時における設定作業のオペレーションミスを防ぐとともに、設定作業を簡易化することが可能な技術を提案することを目的としている。
【課題を解決するための手段】
【０００９】
本発明は、制御装置と光伝送装置の親機とが通信可能に接続され、当該親機と光伝送装置の子機とが光通信可能に接続される光伝送装置システムにおいて、前記制御装置からの要求により、前記親機及び前記子機の側から前記制御装置へ前記子機の接続状態を通知する接続状態通知手段と、前記制御装置からの要求により、前記親機に対して直接又は複数直列で間接的に接続されている全ての子機におけるアラームマスクを解除し、前記親機に対して末端に接続されている子機におけるアラームマスクを設定するアラームマスク設定手段と、前記制御装置からの要求により、前記親機及び当該親機に対して直接又は複数直列で間接的に接続されている全ての子機に対して所定の装置情報を設定する装置情報設定手段と、を備えたことを特徴としている。
また、前記制御装置からの要求により、前記親機に対してシステムの構成情報を設定する構成情報設定手段を、更に備えるようにしてもよい。
【発明の効果】
【００１０】
本発明によると、親機及び子機の各装置に対する設定処理が自立的に行われる為、各装置の設置時における工事作業者の作業効率を向上することが可能となるだけでなく、オペレーションミス（アラームマスク設定／解除漏れ、局情報の設定漏れ等）を減らすことも可能となる。
【発明を実施するための最良の形態】
【００１１】
本発明を、図面を参照して具体的に説明する。
図１は、本発明の一実施例に係る光伝送装置システムを有する無線システムの概略的な構成を示してある。
携帯電話に代表される各移動局１は、無線基地局５を介して無線通信を行うことができ、無線基地局５は、無線網の制御を行う無線網制御装置６や通信経路の選択を行う交換機７を介して網８に接続されている。また、無線基地局５と通信可能に光伝送装置の親機３が設置されると共に、無線アンテナを有する光伝送装置の子機２が無線基地局５の不感地帯となる各所に複数設置され、各子機３は光ケーブルにより直接的又は他の子機３を介して間接的に親機３に接続されている。そして、これら親機３及び子機２により構成される光伝送装置システムによって、各移動局１が無線基地局５の不感地帯内にある場合であっても無線通信を行えるようにしてある。なお、親機３は、ＩＳＤＮルータ等の接続装置４を介して網８に接続されており、網８に接続された遠隔監視装置（制御装置）９による遠隔制御を可能にしてある。
【００１２】
図２及び図３は、本例に係る親機３及び子機２の機能ブロック図である。
無線基地局５から移動局１への下り方向の通信について簡単に説明する。
親機３は、無線基地局５から移動局１に対して送信される無線信号を無線Ｉ／Ｆ部３及び無線送受信部３２により受信すると、光信号変換部３５により光信号に変換し、当該親機３に接続されている光伝送装置の子機２に送信する。子機２は、親機３から光信号を光Ｉ／Ｆ部２１により受信すると、光信号変換部２２により無線信号に変換し、無線送受信部２３及び無線増幅部２４により送出する。また、当該子機２の後段（親機３から見て末端側）に他の子機２が接続されている場合には、受信した光信号を当該他の子機２に送信して同様の処理を行わせる。
【００１３】
移動局１から無線基地局５への上り方向の通信について簡単に説明する。
子機２は、移動局１から無線基地局５に対して送信される無線信号を無線増幅部２４及び無線送受信部２３により受信すると、光信号変換部２２により光信号に変換し、光Ｉ／Ｆ部２１により親機３又は前段（親機３側）の子機２に送信する。また、後段の子機２から光信号を受信した子機２は、受信した光信号を親機３又は前段の子機２に送信する。親機３は、子機２から光信号を受信すると、光信号変換部３５により無線信号に変換し、無線送受信部３２及び無線Ｉ／Ｆ部３により無線基地局５に送信する。
【００１４】
なお、本例の親機３は、外部装置Ｉ／Ｆ部３３を介して遠隔監視装置９と通信可能に接続され、遠隔監視装置９からの要求により、内部の揮発メモリ３６や不揮発メモリ３７に格納される自己に関する構成情報の設定処理を行う保守監視制御部３４を備えており、本例の子機２は、遠隔監視装置９からの要求により、内部の揮発メモリ２６や不揮発メモリ２７に格納される自己に関する構成情報の設定処理を行う保守監視制御部２５を備えている。
【００１５】
ここで、本例の親機３には複数（本例ではＮ個）の接続ポートが設けてあり、各ポートにそれぞれ複数の子機２を直列にカスケード接続させることができる。
図４は、親機３及び子機２の接続例を示している。同図によると、親機３の第１ポート（ＰｏｒｔＮｏ．１）には３台の子機２（＃１１、＃１２、＃１３）が直列に接続され、第２ポート（ＰｏｒｔＮｏ．２）には２台の子機２（＃２１、＃２２）が直列に接続され、第Ｎポート（ＰｏｒｔＮｏ．Ｎ）にはＭ台の子機２（＃Ｎ１、＃Ｎ２、＃Ｎ３、…、＃ＮＭ）が直列に接続されている。つまり、第１ポートの段数は３で子機２（＃１３）が最終段であり、第２ポートの段数は２で子機２（＃２２）が最終段であり、第Ｎのポートの段数はＭで子機２（＃ＮＭ）が最終段である。
【００１６】
図５は、遠隔監視装置９において入力される構成情報管理テーブルを例示しており、この設定内容に基づいて、親機３及び子機２に対する構成情報の設定処理が行われる。
本例の構成情報管理テーブルには、親機３に対して直接又は間接的に接続される子機２の台数である「接続子機台数」のほか、各子機２の「子機ＩＤ」、「装置名称」、「設置住所」、「ＩＰアドレス」、「接続有無」などの各子機２に関する情報や、親機３の「親機ＩＤ」、「装置名称」、「設置住所」、「ＩＰアドレス」などの親機３に関する情報が、工事作業者によりシステム構成図面に従って設定される。これら構成情報は、各装置の本来在るべき接続状態を示す情報（「接続子機台数」、各「子機ＩＤ」及び「接続有無」）や、各装置に設定すべき情報（「装置名称」、「ＩＰアドレス」、「設置場所」）などに分類される。なお、これらは例示に過ぎず、他の種々の構成情報を設定することができる。
【００１７】
ここで、構成情報管理テーブルの入力は、親機３及び子機２への構成情報の設定処理を開始する前までに行われていればよく、遠隔監視装置９と親機３とが通信可能に接続された状態で行う必要は無い。そして、遠隔監視装置９に設けられたキーボードやマウス等の入力機器を工事作業者がその場で操作して入力することは勿論、例えば、事前に遠隔監視装置９で入力された内容をＣＳＶ等のデータ形式でファイルに保存しておき、当該ファイルから入力内容を復元するようにしたり、例えば、他の装置で入力された内容を外部記憶媒体や通信回線を介して遠隔監視装置９に取り込むようにすることもできる。
【００１８】
図６は、親機３が有する接続状態管理テーブルを例示している。
本例の接続状態管理テーブルには、親機３に対して直接又は間接的に接続されている子機２の台数である「接続子機台数」のほか、各子機２の「子機ＩＤ」、「接続状態」などが設定される。なお、接続状態管理テーブルの設定内容は、後述するように、親機３及び子機２の各装置の電源投入などに応じて随時更新される。
【００１９】
図７は、子機２が有するアラームマスク設定管理テーブルを例示している。
本例のアラームマスク設定管理テーブルには、その子機２の親機３と接続関係にある全て（自己を含む）の子機２の台数である「接続子機台数」のほか、各子機２の「子機ＩＤ」、「マスク設定有無」などが設定される。
【００２０】
親機３及び子機２の各装置に対する構成情報の設定処理を、図５に示す処理シーケンスに従って説明する。
初めに、工事作業者は、システム構成図面に従って、遠隔監視装置９の構成情報管理テーブルに各種構成情報を設定する（処理Ｚ１１）。
そして、構成情報管理テーブルの設定が完了した後に、遠隔監視装置９のディスプレイ画面に表示された構成情報設定開始ボタン等を工事作業者が押下する等の指示がなされたことに応じて、各装置に対する構成情報の設定処理が開始される（処理Ｚ１２）。
【００２１】
構成情報の設定処理が開始すると、遠隔監視装置９は、まず、親機３から接続状態の情報を収集する期限を管理する為のタイマＴ１、及び親機３に接続状態の情報を定期的に要求（＝構成情報読出し要求メッセージを送出）する為のタイマＴ２を開始すると共に、親機３に対して構成情報読出し要求メッセージを送出する（処理Ｚ１３）。
親機３は、構成情報読出し要求メッセージを受信すると、保守監視制御部３４により、接続状態管理テーブルにて表される現在の接続状態を示す情報を構成情報読出し応答メッセージに含めて遠隔監視装置９に送出する。
【００２２】
遠隔監視装置９は、親機３から構成情報読出し応答メッセージを受信すると、構成情報読出し応答メッセージに含まれる情報により示された現在の接続状態と最初に設定された本来在るべき接続状態とを比較する収集完了チェックを行い（処理Ｚ１４）、両者が一致している場合にはタイマＴ１及びＴ２を停止して（処理Ｚ１５）、アラームマスクを各子機２に設定する期限を管理する為のタイマＴ３を開始する（処理Ｚ１６）。
一方、両者が一致しない場合には、次の構成情報読出し要求メッセージを送出するタイミング（＝タイマＴ２のタイムアップ時間）まで待ち状態となり、そのタイミングの到来をもってタイマＴ２をリセットすると共に、構成情報読出し要求メッセージを再度送出してその応答メッセージに基づく収集完了チェックを行う（処理Ｚ１４）。
もし、現在の接続状態と本来在るべき接続状態の一致が確認されないままタイマＴ１がタイムアップした場合には、遠隔監視装置９のディスプレイ画面にその旨を表示させて処理を中断させる。このとき、タイマＴ２を併せて停止させる（処理Ｚ１５）。
【００２３】
ここで、親機３及び子機２の各装置側では、各装置の電源ＯＮ等（処理Ｚ３１、Ｚ５１〜Ｚ５３）により、親機３及び子機２間の接続状態が変化すると、親機３が有する接続状態管理テーブルの内容を随時更新している（処理Ｚ３２〜Ｚ３５）。この処理内容を、以下に具体的に説明する。
【００２４】
親機３の電源が投入されると（処理Ｚ３１）、保守監視制御部３４により、不揮発メモリ３７から揮発メモリ３６に接続状態管理テーブルが読み出される（処理Ｚ３２）。なお、この読出し時点の接続状態管理テーブルは、各子機２の「接続状態」の項目に、親機３が該子機２と接続状態にない（つまり通信不能な状態）ことを示す“未接続”が設定された初期状態となっている。
【００２５】
その後、子機２（＃１１）の電源が投入されると（処理Ｚ５１）、その子機２の保守監視制御部２５により、自己の子機ＩＤ（不揮発メモリ２７に記録）を含めた子機接続状態変化通知メッセージが親機３に送出される。親機３の保守監視制御部３４は、子機接続状態変化通知メッセージを受信すると、保守監視制御部３４により、子機接続状態変化通知メッセージに含まれる子機ＩＤに該当する「接続状態」の項目を、親機３が該子機２と接続状態にある（つまり通信可能な状態）ことを示す“接続中”に変更（更新）する。
【００２６】
同様に、子機２（＃１３）の電源が投入されると（処理Ｚ５２）、その子機ＩＤを含めた子機接続状態変化通知メッセージが親機３に送出されて、親機３の接続状態管理テーブルが更新され（処理Ｚ３４）、子機２（＃ＮＭ）の電源が投入されると（処理Ｚ５３）、その子機ＩＤを含めた子機接続状態変化通知メッセージが親機３に送出されて、親機３の接続状態管理テーブルが更新される（処理Ｚ３５）。
【００２７】
また、親機３は、各子機２との通信状態が維持されているか否かを監視しており、子機２の電源の切断、光ケーブルの接続不良、子機２の故障等により子機２と通信不能な状態になった場合には、当該子機２に該当する「接続状態」の項目を“未接続”に変更（更新）する。
以上の処理によって、親機３の接続状態管理テーブルにより管理される各装置の接続状態の情報は最新の状態に保たれ、遠隔監視装置９からの要求に応じてその要求時点の接続状態を応答することができる。
【００２８】
次に、アラームマスク設定用のタイマＴ３の開始（処理Ｚ１６）後の処理を説明する。
タイマＴ３が開始されると、遠隔監視装置９により自律的にＡＬＭマスク解除要求メッセージが親機３が送出され、これを受信した親機３は、直接又は間接的に現在接続されている全子機２に対して、保守監視制御部３４によりＡＬＭマスク解除要求メッセージを送出する。これを受信した子機２は、保守監視制御部２５により、内部の不揮発メモリ２７に記憶されているアラームマスク設定管理テーブルの対応する子機ＩＤの「マスク設定有無」を“無”に更新し、ＡＬＭマスク解除応答メッセージを返す。親機３では全子機２からＡＬＭマスク解除応答メッセージを受信すると、保守監視制御部３４により遠隔監視装置９へＡＬＭマスク解除応答メッセージを返す。
【００２９】
遠隔監視装置９は、親機３からＡＬＭマスク解除応答メッセージを受信すると、続けてＡＬＭマスク設定要求メッセージを親機９に対して送出する。親機９は、ＡＬＭマスク設定要求メッセージを受信すると、各ポートの最終段に接続されている子機２（例えば、第１ポートの場合は子機２（＃１３））に対し、保守監視制御部３４によりＡＬＭマスク設定要求メッセージを送出する。これを受信した子機２は、保守監視制御部２５により、内部の不揮発メモリ２７に記憶されているアラームマスク設定管理テーブルの対応する子機ＩＤの「マスク設定有無」を“有”に更新し、ＡＬＭマスク設定応答メッセージを返す。親機３では、ＡＬＭマスク設定要求メッセージを送信した子機２からＡＬＭマスク設定応答メッセージを受信すると、保守監視制御部３４により遠隔監視装置９へＡＬＭマスク設定応答メッセージを返す。これを受信した遠隔監視装置９は、タイマＴ３を停止させてアラームマスク設定処理を終える（処理Ｚ１７）。
【００３０】
なお、各ポートの最終段の子機２に対するアラームマスクの設定は、カスケード接続が可能な子機２の場合に、後段に接続される子機２が無い為に不要な光回線異常（ＬＯＳ（Loss of Signal）、ＬＯＦ（Loss of Frame）等）のアラーム報告をさせない為に行なっている。
【００３１】
遠隔監視装置９は、タイマＴ３の停止後、親機３及び子機２の各装置に装置情報を設定する期限を管理する為のタイマＴ４を開始し（処理Ｚ１８）、構成情報管理テーブルの設定内容を含めた各種装置情報設定要求メッセージを親機３に対して送出する。親機９は、各種装置情報設定要求メッセージを受信すると、保守監視制御部３４により、各種装置情報設定要求メッセージに含まれる自装置に設定すべき情報（装置名称、設置住所、ＩＰアドレス）を不揮発メモリ３７に記録（設定）すると共に、各子機２に対して、それぞれの子機２に対する設定情報を含めた各種装置情報設定要求メッセージを送出する。これを受信した子機２は、保守監視制御部２５により、各種装置情報設定要求メッセージに含まれる自装置に設定すべき情報を不揮発メモリ２７に記録（設定）し、各種装置情報設定応答メッセージを返す。親機３では、全子機２から各種装置情報設定応答メッセージを受信すると、保守監視制御部３４により遠隔監視装置９へ各種装置情報設定応答メッセージを返す。これを受信した遠隔監視装置９は、タイマＴ４を停止させて装置情報設定処理を終える（処理Ｚ１９）。
【００３２】
その後、遠隔監視装置９は、親機３に対して構成情報保存要求メッセージを送出する。これを受信した親機３は、保守監視制御部３４により、隔監視装置９から送信された最新の構成情報管理テーブルを不揮発メモリ３７に記録（保存）し（処理Ｚ３６）、遠隔監視装置９に構成情報保存応答メッセージを返す。
遠隔監視装置９は、構成情報保存応答メッセージを親機３から受信すると、構成状態の表示を行って（処理Ｚ３７）、一連の設定処理を終了する。なお、アラームマスク設定用のタイマＴ３か各種装置装置情報設定用のタイマＴ４がタイムアップした場合には、遠隔監視装置９のディスプレイ画面にその旨を表示させて処理を中断させる。
【００３３】
このように、親機３及び子機２の各装置に対する設定処理が自立的に行われる為、各装置の設置時における工事作業者の作業効率を向上することが可能となるだけでなく、オペレーションミス（アラームマスク設定／解除漏れ、局情報の設定漏れ等）を減らすことも可能となる。また、システム構成情報（構成情報管理テーブル）を予め遠隔監視装置９に入力しておくことができる為、現地での作業時間を大幅に削減することが可能となる。また、設置時のシステム構成情報が親機３に保存される為、運用中のシステム構成の変更（子機２の追加や削除など）の検出を自律的に行って、遠隔監視装置９に通知することも可能となる。
【００３４】
なお、本例では、主に親機３の保守監視制御部３４及び子機２の保守監視制御部２５により、接続状態通知手段、アラームマスク設定手段、装置情報設定手段を構成し、主に親機３の保守監視制御部３４により構成情報設定手段を構成しているが、他の態様により各機能手段を構成するようにしてもよい。
【００３５】
また、本例では、揮発メモリと不揮発メモリを使い分けて各情報を記憶させているが、各情報をそれぞれ任意のメモリに記憶させてもよい。
また、本例では、各子機２のアラームマスク設定管理テーブルに、そのシステムに係る全ての子機２に関する情報の項目が設けられているが、自己の子機２に関する情報の項目のみを設けるようにしてもよい。
【００３６】
また、親機３の接続状態管理テーブルの項目を、各子機２からの通知メッセージに基づいて自律的に形成するようにしてもよい。すなわち、例えば、工場出荷時における親機３の接続状態管理テーブルの項目を「接続子機台数」のみとし、その設定値を“０”としておく。そして、各子機２の電源投入時に送信される子機接続状態変化通知メッセージに基づいて、該当する「子機ＩＤ」及び「接続状態」の項目の有無を判断し、存在しない場合には、「子機ＩＤ」及び「接続状態」の項目を追加してそれぞれに値を設定すると共に、「接続子機台数」に“１”を加算する、という具合である。
【００３７】
また、各ポートにおける各子機２の接続順序や最終段の子機２の特定を自律的に行うこともできる。すなわち、各子機２から親機３に子機接続状態変化通知メッセージが送信されるとき、その間に１以上の他の子機２が存在する場合には、これら他の子機２により子機接続状態変化通知メッセージが中継される。このとき、例えば、他の子機２が自己の子機ＩＤを中継対象の子機接続状態変化通知メッセージに所定の順序で含めるようにし、親機３が各子機２から送信されたそれぞれの子機接続状態変化通知メッセージに含まれる１又は複数の子機ＩＤに基づいて、各子機２の接続順序や最終段の子機２の特定を行う。
【００３８】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３９】
【図１】本発明の一実施例に係る無線システムの概略的な構成を示す図である。
【図２】本発明の一実施例に係る光伝送装置の親機の機能ブロック図である。
【図３】本発明の一実施例に係る光伝送装置の子機の機能ブロック図である。
【図４】本発明の一実施例に係る光伝送装置システムの構成例を示す図である。
【図５】本発明の一実施例に係る構成情報管理テーブルを例示する図である。
【図６】本発明の一実施例に係る接続状態管理テーブルを例示する図である。
【図７】本発明の一実施例に係るアラームマスク設定管理テーブルを例示する図である。
【図８】本発明の一実施例に係る構成情報の設定処理のシーケンス図である。
【符号の説明】
【００４０】
１…移動局、  ２…光伝送装置子機、  ３…光伝送装置親機、  ４…接続装置、  ５…無線基地局５、  ６…無線網制御装置、  ７…交換機、  ８…網、  ９…遠隔監視装置、  ２１…光Ｉ／Ｆ部、  ２２、３５…光信号変換部、  ２３、３２…無線送受信部、  ２４…無線増幅部、  ２５、３４…保守監視制御部、  ２６、３６…揮発メモリ、  ２７、３７…不揮発メモリ、  ３１…無線Ｉ／Ｆ部、  ３３…外部装置Ｉ／Ｆ部
【図１】
0005044388.tif 000002
【図２】
0005044388.tif 000003
【図３】
0005044388.tif 000004
【図４】
0005044388.tif 000005
【図５】
0005044388.tif 000006
【図６】
0005044388.tif 000007
【図７】
0005044388.tif 000008
【図８】
0005044388.tif 000009